(57)【特許請求の範囲】
【請求項１】
筐体と、
前記筐体に収容された金属板状のシャーシと、
前記シャーシに支持される電池パックと、
前記電池パックに隣接する第１回路基板と、
前記電池パックに対して前記第１回路基板とは反対側に隣接する第２回路基板と、
前記第１回路基板および前記第２回路基板を接続するとともに、前記電池パックの側部に配置された電線と、
前記電線の所定位置において芯線が露出した露出部と、
前記露出部を覆うとともに導電性を有する筒状の導体部材と、
前記シャーシおよび前記導体部材に対して面接触可能であるとともに導電性を有する弾性部材と、
前記導体部材の外周面に設けられた大径部と、
前記シャーシに設けられ、前記電線を保持するとともに前記大径部が通過不可能な係合部と、を備える携帯端末。
【請求項２】
請求項１に記載の携帯端末であって、
前記導体部材の長手方向寸法が、前記弾性部材における前記導体部材の長手方向に沿った長さより大きい携帯端末。
【請求項３】
請求項１に記載の携帯端末であって、
前記導体部材の長手方向寸法が、前記弾性部材における前記導体部材の長手方向に沿った長さより小さい携帯端末。
【発明の詳細な説明】
【技術分野】
【０００１】
本発明は、筐体の内部に配索された電線の露出部を筒状の導体部材で覆い、この導体部材をシャーシに導電性部材で接続することにより電線をシャーシに接地する携帯端末に関する。
【背景技術】
【０００２】
一般に携帯端末に備えたアンテナケーブルはノイズ対策のためにアースを取る必要がある。アース手段として、例えば、ケース内の板金部材に突起部を設け、突起部にアンテナケーブルの導出導体部を載置し、ケースに設けた二つのリブで導出導体部の周辺を押し付けるものが知られている。
二つのリブで導出導体部の周辺を押し付けることにより、板金部材の突起部に導体導出部を接触させ、導体導出部を板金部材に接地させることが可能である（例えば、特許文献１）。
【０００３】
また、その他のアース手段として、導電性材料で形成した筐体にスリット部を設け、スリット部にアンテナケーブルのクランプ部（導体部）を嵌合させるものが知られている。
スリット部にクランプ部を嵌合させることにより、クランプ部を筐体に接地させることが可能である（例えば、特許文献２）。
【先行技術文献】
【特許文献】
【０００４】
【特許文献１】特開２０１０−２５８８２６号公報（段落００８０、図１３）
【特許文献２】特開２００９−０６０３０２号公報（段落００２６、図６）
【発明の概要】
【発明が解決しようとする課題】
【０００５】
しかし、特許文献１のアース手段は、板金部材の突起部にアンテナケーブルの導出導体部を接触させるために、突起部および導出導体部が点接触となり、安定した導通状態を確保し難い。
加えて、板金部材の突起部がアンテナケーブルの導出導体部の下側に位置するので、接触状態を目視で確認し難い。
【０００６】
一方、特許文献２のアース手段は、筐体のスリット部にアンテナケーブルのクランプ部（導体部）を嵌合させるために、スリット部およびクランプ部が点接触または線接触となる。さらに、スリット部にクランプ部を嵌合させ易くするためにクランプ部を小さく形成する必要があり、スリット部およびクランプ部の接触圧を十分に確保できない。
このように、スリット部およびクランプ部が点接触または線接触となり、かつ接触圧が十分に確保できないために安定した導通状態を確保し難い。
加えて、スリット部にクランプ部を嵌合させた状態で、スリット部に対してクランプ部がアンテナケーブルの長手方向に位置ずれしてしまい、スリット部およびクランプ部間の導通が得られないことが考えられる。
【０００７】
本発明は、前述した課題を解決するためになされたものであり、その目的は、シャーシに対する電線の導通を確実に得られる携帯端末を提供することにある。
【課題を解決するための手段】
【０００８】
本発明の携帯端末は、筐体と、前記筐体に収容された金属板状のシャーシと、前記シャーシに支持される電池パックと、前記電池パックに隣接する第１回路基板と、前記電池パックに対して前記第１回路基板とは反対側に隣接する第２回路基板と、前記第１回路基板および前記第２回路基板を接続するとともに、前記電池パックの側部に配置された電線と、前記電線の所定位置において芯線が露出した露出部と、前記露出部を覆うとともに導電性を有する筒状の導体部材と、前記シャーシおよび前記導体部材に対して面接触可能であるとともに導電性を有する弾性部材と、前記導体部材の外周面に設けられた大径部と、前記シャーシに設けられ、前記電線を保持するとともに前記大径部が通過不可能な係合部と、を備える。
【０００９】
電線の露出部を覆う筒状の導体部材を備え、導体部材の外周面に大径部を設けた。さらに、大径部が通過不可能な係合部を筐体に設けた。よって、係合部で大径部の位置ずれを抑えて導体部材を所定位置に位置決めできる。
また、シャーシおよび導体部材に対して面接触可能な導電性を有する弾性部材を備えた。
このように、導体部材を所定位置に位置決め可能で、かつ、シャーシおよび導体部材に弾性部材を面接触可能とすることにより、導体部材および弾性部材を確実に面接触させ、シャーシおよび弾性部材を確実に面接触させることができる。
【００１０】
また、本発明の携帯端末は、前記導体部材の長手方向寸法が、前記弾性部材における前記導体部材の長手方向に沿った長さより大きい。
【００１１】
よって、弾性部材に対する導体部材の僅かなずれを比較的大きな導体部材で許容して、導体部材を弾性部材に容易に配置できる。これにより、導体部材の位置決めを気にすることなく、導体部材を弾性部材に接触可能である。
【００１２】
さらに、本発明の携帯端末は、前記導体部材の長手方向寸法が、前記弾性部材における前記導体部材の長手方向に沿った長さより小さくてもよい。
【００１３】
よって、弾性部材に対する導体部材の僅かなずれを比較的大きな弾性部材で許容して、導体部材を弾性部材に容易に配置できる。
これにより、導体部材の位置決めを気にすることなく、導体部材を弾性部材に接触可能である。
【発明の効果】
【００１４】
本発明の携帯端末によれば、導体部材を所定位置に位置決め可能で、かつ、シャーシおよび導体部材に弾性部材を面接触可能とすることにより、シャーシに対する導体部材（すなわち、電線）の導通が確実に得られる。
【図面の簡単な説明】
【００１５】
【図１】本発明に係る第１実施形態の携帯端末を示す分解斜視図
【図２】第１実施形態の携帯端末を示す断面図
【図３】第１実施形態のシャーシに電線を接続した状態を示す平面図
【図４】図１のＩ部拡大図
【図５】図４の導体部材を第２弾性部材で第１弾性部材に押圧した状態を示す斜視図
【図６】図５の導体部材を第１弾性部材に押圧する例を示す分解斜視図
【図７】図３のＩＩ部拡大図
【図８】本発明に係る第２実施形態の導体部材および弾性部材を示す分解斜視図
【図９】本発明に係る第３実施形態の導体部材および弾性部材を示す断面図
【図１０】本発明に係る第４実施形態の導体部材および弾性部材を示す斜視図
【図１１】本発明に係る第５実施形態の導体部材および弾性部材を示す断面図
【発明を実施するための形態】
【００１６】
以下、本発明の実施形態に係る携帯端末について図面を参照して説明する。
【００１７】
（第１実施形態）
図１に示すように、第１実施形態の携帯端末１０は、筐体１１と、筐体１１に収容された金属板状のシャーシ１５と、シャーシ１５に支持される電池パック１６と、電池パック１６に隣接する第１回路基板１７および第２回路基板１８とを備えている。
【００１８】
さらに、携帯端末１０は、第１回路基板１７および第２回路基板１８を接続する電線２１と、電線２１の露出部２２（図２参照）を覆う導体部材２４と、筐体１１に設けられて導体部材２４を位置決め可能な一対の係合部（係合部）２８、２９とを備えている。
【００１９】
加えて、携帯端末１０は、シャーシ１５および導体部材２４に対して面接触可能な第１弾性部材（弾性部材）３２と、筐体１１および導体部材２４に対して接触可能な第２弾性部材３３とを備えている。
【００２０】
筐体１１は、略矩形枠状に形成されたケース１２と、ケース１２の裏面１２Ａ（図２参照）側に取り付けられて裏面１２Ａ側を覆うカバー１３とを備えている。
図２に示すように、ケース１２の開口１４で、かつ、シャーシ１５の表面１５Ａ側に表示部３６が設けられ、表示部３６が保護カバー３７で覆われている。
【００２１】
図１、図３に示すように、電池パック１６は、シャーシ１５の裏面１５Ｂ側において略半分の領域に載置可能な略矩形体状に形成されている。
この電池パック１６は、シャーシ１５の略中央に配置される第１壁部１６Ａと、シャーシ１５の一方の側部１５Ｃに沿って配置される第２壁部１６Ｂとを有する。
さらに、電池パック１６は、シャーシ１５の端部１５Ｄに沿って配置される第３壁部１６Ｃと、シャーシ１５の他方の側部１５Ｅに沿って配置される第４壁部１６Ｄとを有する。
【００２２】
電池パック１６の第１壁部１６Ａに第１回路基板１７が隣接されている。また、第１回路基板１７とは反対側の第３壁部１６Ｃに第２回路基板１８が隣接されている。
第１回路基板１７および第２回路基板１８は電線２１で接続され、この電線２１が電池パック１６の第２壁部（側部）１６Ｂ側に配置されている。
【００２３】
図４、図５に示すように、電線２１は、第１回路基板１７および第２回路基板１８を接続するもので、例えばアンテナケーブル等が該当する。
電線２１は、第２壁部１６Ｂ（図１参照）に隣接する所定位置において芯線が露出された露出部２２（図７参照）を有する。
電線２１の露出部２２が、導電性を有する筒状の導体部材２４で覆われている。これにより、電線２１の露出部２２および導体部材２４が導通可能に面接触されている。
【００２４】
図６、図７に示すように、筒状の導体部材２４は、外周面２４Ａのうち両端部２４Ｂ、２４Ｃに一対の大径部（大径部）２５、２６がそれぞれ設けられている。
また、シャーシ１５に一対の係合部２８、２９が筐体１１の内部３８（図２参照）に向けて張り出すように設けられている。一対の係合部２８、２９は、導体部材２４の外側に設けられている。
【００２５】
一対の係合部２８、２９は、電池パック１６の第２壁部１６Ｂ（図１参照）に沿って導体部材２４の長手方向寸法Ｌ１より大きい所定間隔Ｌ２をおいて配置されている。
また、一方の係合部２８は、電線２１を嵌合可能で、かつ、一方の大径部２５が通過不可能な凹部２８Ａを有する。
さらに、他方の係合部２９は、電線２１を嵌合可能で、かつ、他方の大径部２６が通過不可能な凹部２９Ａを有する。
【００２６】
凹部２８Ａ、２９Ａに電線２１を嵌合させることにより電線２１が一対の係合部２８、２９に保持される（図５も参照）。この状態において、電線２１が長手方向（矢印Ａ方向）に移動しようとすると、一方の大径部２５が一方の係合部２８に当接したり、他方の大径部２６が他方の係合部２９に当接して電線２１の移動が規制される。
よって、一対の係合部２８、２９で一対の大径部２５、２６の位置ずれを抑えて、導体部材２４を一対の係合部２８、２９間の所定位置に位置決めできる。
【００２７】
また、シャーシ１５（具体的には、シャーシ１５の一方の側部１５Ｃ）のうち一対の係合部２８、２９間の部位に、導電性を有する第１弾性部材３２が設けられている。
第１弾性部材３２は、矩形板状に形成されることにより、シャーシ１５の一方の側部１５Ｃに面接触されている（図２も参照）。
さらに、筐体１１の裏面１２Ａ（図２参照）のうち一対の係合部２８、２９間の部位１２Ｂ（図２参照）に第２弾性部材３３が設けられている。第２弾性部材３３は、第１弾性部材３２と同様に矩形板状に形成されている。
【００２８】
第１弾性部材３２は、第２弾性部材３３より軟らかい材質で形成されている。
よって、第２弾性部材３３で導体部材２４を第１弾性部材３２に向けて押し付け、導体部材２４で第１弾性部材３２を押圧することにより第１弾性部材３２を弾性変形させることができる。
【００２９】
図２に示すように、第１弾性部材３２を弾性変形させることにより、第１弾性部材３２を導体部材２４の周囲に接触させて、導体部材２４に対して第１弾性部材３２を面接触させることができる。
このように、導体部材２４を所定位置に位置決め可能で、かつ、シャーシ１５（一方の側部１５Ｃ）および導体部材２４に第１弾性部材３２を面接触可能とすることにより、シャーシ１５に対する導体部材２４（すなわち、電線２１）の導通が確実に得られる。
【００３０】
図６、図７に示すように、第１弾性部材３２および第２弾性部材３３は、導体部材２４の長手方向に沿った長さ寸法がＬ３に設定されている。
導体部材２４の長手方向寸法Ｌ１は、第１弾性部材３２および第２弾性部材３３の長さ寸法Ｌ３より大きく設定されている。
よって、一対の大径部２５、２６間に第１弾性部材３２および第２弾性部材３３が配置される。
【００３１】
これにより、第１弾性部材３２に対する導体部材２４の僅かなずれを比較的大きな導体部材２４で許容して、導体部材２４の外周面２４Ａを第１弾性部材３２に容易に配置できる。従って、導体部材２４の位置決めを気にすることなく、導体部材２４の外周面２４Ａを第１弾性部材３２に接触可能である。
【００３２】
次に、筐体１１にシャーシ１５を組み付けた状態を図２に基づいて説明する。
図２に示すように、筐体１１にシャーシ１５を組み付けた状態において、筐体１１で第２弾性部材３３を押し付けることにより、第２弾性部材３３で導体部材２４の外周面２４Ａが矢印Ｂ方向に押圧される。
外周面２４Ａが押圧されることにより、導体部材２４の外周面２４Ａで第１弾性部材３２が押圧される。
【００３３】
よって、導体部材２４および第１弾性部材３２を確実に面接触させ、シャーシ１５（一方の側部１５Ｃ）および第１弾性部材３２を確実に面接触させることができる。
これにより、シャーシ１５に対する導体部材２４（すなわち、電線２１）の導通が確実に得られる。
【００３４】
次に、第２実施形態〜第６実施形態の携帯端末４０を図８〜図１２に基づいて説明する。
なお、第２実施形態〜第６実施形態の携帯端末において第１実施形態の携帯端末１０と同一類似部材については同じ符号を付して説明を省略する。
【００３５】
（第２実施形態）
図８に示すように、第２実施形態の携帯端末５０は、導体部材２４の長手方向寸法Ｌ４が、第１弾性部材３２における導体部材２４の長手方向に沿った長さ寸法Ｌ５より小さく設定されたもので、その他の構成は第１実施形態の携帯端末１０と同じである。
【００３６】
第２弾性部材３３における導体部材２４の長手方向に沿った長さ寸法も、第１弾性部材３２と同様にＬ５に設定されている。
すなわち、導体部材２４の一対の大径部２５、２６の外側まで第１弾性部材３２および第２弾性部材３３がそれぞれ拡張されている。
【００３７】
このように、導体部材２４の長手方向寸法Ｌ４を第１弾性部材３２および第２弾性部材３３の長さ寸法Ｌ５より小さく設定することにより、導体部材２４の僅かなずれを第１弾性部材３２および第２弾性部材３３で許容できる。
よって、導体部材２４を第１弾性部材３２および第２弾性部材３３間に容易に配置できる。これにより、導体部材２４の位置決めを気にすることなく、導体部材２４を第１弾性部材３２に接触可能である。
【００３８】
（第３実施形態）
図９に示すように、第３実施形態の携帯端末６０は、第１弾性部材６２に第１凹部６２Ａが形成され、第２弾性部材６３に第２凹部６３Ａが形成されたもので、その他の構成は第１実施形態の携帯端末１０と同じである。
具体的には、第１弾性部材６２のうち導体部材２４に対峙する部位に第１凹部６２Ａが形成されている。さらに、第２弾性部材６３のうち導体部材２４に対峙する部位に第２凹部６３Ａが形成されている。
【００３９】
第１弾性部材６２に第１凹部６２Ａを形成し、第２弾性部材６３に第２凹部６３Ａを形成することにより、第１凹部６２Ａおよび第２凹部６３Ａに導体部材２４を嵌合させることができる。
これにより、第１弾性部材６２および導体部材２４の面接触領域を大きく確保でき、シャーシ１５に対する導体部材２４（すなわち、電線２１）の導通が一層確実に得られる。
【００４０】
（第４実施形態）
図１０に示すように、第４実施形態の携帯端末８０は、第１実施形態の第１弾性部材３２および第２弾性部材３３に代えて筒状の弾性部材８２を備えたもので、その他の構成は第１実施形態の携帯端末１０と同じである。
【００４１】
導体部材２４の外周面２４Ａを筒状の弾性部材８２で覆うことにより、導体部材２４および外周面２４Ａを面接触させることができる。
さらに、筒状の弾性部材８２をシャーシ１５（一方の側部１５Ｃ）に押圧することにより、弾性部材８２を弾性変形させることにより、弾性部材８２をシャーシ１５に面接触させることができる。
これにより、シャーシ１５に対する導体部材２４（すなわち、電線２１）の導通が確実に得られる。
【００４２】
さらに、筒状の弾性部材８２を用いることにより第１弾性部材３２および第２弾性部材３３を不要にできるので、部品点数を減らすことができ、構成を簡素化できる。
加えて、導体部材２４の外周面２４Ａを筒状の弾性部材８２で覆うことにより、導体部材２４に弾性部材８２を確実に位置決めできる。
【００４３】
（第５実施形態）
図１１に示すように、第５実施形態の携帯端末９０は、第１実施形態の第２弾性部材３３を除去したもので、その他の構成は第１実施形態の携帯端末１０と同じである。
【００４４】
筐体１１で導体部材２４を押し付けることにより導体部材２４が矢印Ｃ方向に押圧される。導体部材２４が押圧されることにより、導体部材２４の外周面２４Ａで第１弾性部材３２が押圧される。
この際、筐体１１の内面に凹状の円弧面１１Ａが設けられているため、導体部材２４が所望位置からずれることなく、確実に第１弾性部材３２に導体部材２４が押圧される。
よって、導体部材２４および第１弾性部材３２を確実に面接触させることができる。
【００４５】
第６実施形態の携帯端末９０によれば、第２弾性部材３３を除去することにより、部品点数を減らして構成を簡素化でき、さらに組付けの際の手間を省くことができる。
【００４６】
なお、本発明に係る携帯端末は、前述した各実施形態に限定されるものではなく適宜変更、改良等が可能である。
例えば、第１実施形態〜第５実施形態では、導体部材２４の両端部２４Ｂ、２４Ｃに一対の大径部２５、２６を設けた例について説明したが、これに限らないで、導体部材２４に一つの大径部や三つの大径部を設けることも可能である。
【００４７】
また、第１実施形態〜第５実施形態で使用した携帯端末、筐体、シャーシ、電池パック、第１回路基板、第２回路基板、電線、導体部材、一対の大径部、一対の係合部および第１弾性部材等の形状や構成は例示したものに限定するものではなく適宜変更が可能である。
【産業上の利用可能性】
【００４８】
本発明は、筐体の内部に配索された電線の露出部を筒状の導体部材で覆い、この導体部材をシャーシに接続することにより電線をシャーシに接地する携帯端末への適用に好適である。
【符号の説明】
【００４９】
１０、５０、６０、８０、９０  携帯端末
１１  筐体
１５  シャーシ
１６  電池パック
１７  第１回路基板
１８  第２回路基板
２１  電線
２２  露出部
２４  導体部材
２４Ｃ  外周面
２５、２６  一対の大径部（大径部）
２８、２９  一対の係合部（係合部）
３２、６２  第１弾性部材（弾性部材）
８２  筒状の弾性部材
【図１】
0005420003.tif 000002
【図２】
0005420003.tif 000003
【図３】
0005420003.tif 000004
【図４】
0005420003.tif 000005
【図５】
0005420003.tif 000006
【図６】
0005420003.tif 000007
【図７】
0005420003.tif 000008
【図８】
0005420003.tif 000009
【図９】
0005420003.tif 000010
【図１０】
0005420003.tif 000011
【図１１】
0005420003.tif 000012